(57)【要約】【課題】容器本体の押し込み完了を音によって容易に確認することのできる揮散性液体容器を提案する。【解決手段】揮散性液体容器1において、容器本体20の口部24には、口部24の外周面から環状に突出する鍔部25と、鍔部25の下面25aを含む環状の凹部27とを形成し、キャップ30には、キャップ30に対して容器本体20が押し込まれる際に、容器本体20の口部24の外周面に直接又は間接的に摺接して弾性変形すると共に、容器本体20の押し込み完了時に環状の凹部27に到達して弾かれ、鍔部25の下面25aに衝突することによって音を発する少なくとも１本の音出し腕34を設ける。【選択図】図１
2014196122.tif 000002
【特許請求の範囲】
【請求項１】
内部に揮散性の液体を収容し、底部、胴部、肩部、口部を有するボトル状をなす容器本体を倒立状態とし、容器本体に下方から被さるキャップに対して容器本体を押し込むことにより、キャップの底壁から立設された突起が、容器本体の口部を封止する封止部材を貫通又は押し込んで容器本体が開封され、容器本体とキャップとの間に配置された含浸材を介して前記液体を揮散させる揮散性液体容器において、
容器本体の口部には、該口部の外周面から環状に突出する鍔部と、該鍔部の下面を含む環状の凹部とが形成されており、
キャップは、キャップに対して容器本体が押し込まれる際に、容器本体の口部の外周面に直接又は間接的に摺接して弾性変形すると共に、容器本体の押し込み完了時に前記環状の凹部に到達して弾かれ、前記鍔部の下面に衝突することによって音を発する少なくとも１本の音出し腕を備えることを特徴とする揮散性液体容器。
【請求項２】
前記少なくとも１本の音出し腕は、
キャップの底壁から立設された内周壁の上端から外周側に向って延設された折り返し片と、
前記折り返し片から外周側に向って延設された当接片と、
前記当接片の外周側端縁から立設された嵌合片と、
前記嵌合片から外周側に向って延設された音出し片とを有し、
前記折り返し片を折り返し、前記当接片を前記内周壁の上端面に当接させると共に、前記嵌合片を前記内周壁の内周面に嵌合させることによって形成される、請求項１に記載の揮散性液体容器。
【請求項３】
前記含浸材は、キャップに対して容器本体が押し込まれることによって、キャップの底壁から立設された内周壁の内周面と容器本体の口部の外周面との間に挟み込まれるように、キャップの内周壁の内外にわたって配置される、請求項１又は２に記載の揮散性液体容器。
【発明の詳細な説明】
【技術分野】
【０００１】
本発明は、内部に揮散性の液体を収容し、ボトル状をなす容器本体を倒立状態とし、キャップに対して容器本体を押し込むことにより、容器本体が開封され、含浸材を介して液体を揮散させる揮散性液体容器に関し、特に、容器本体の押し込み完了を容易に確認できるようにしようとするものである。
【背景技術】
【０００２】
従来、この種の揮散性液体容器として、例えば特許文献１に記載されるようなものが知られている。特許文献１に記載される揮散性液体容器は、倒立したボトル状の容器本体に下方から被さるキャップを備えており、その使用に際しては、キャップの外周壁の上端縁の切取部を切取って、キャップに対して容器本体を押し込むことにより、キャップの底壁から立設された突起が、容器本体の口部を封止する封止部材を貫通して容器本体が開封され、容器本体の胴部がキャップの外周壁に係止されるようになっている。そして、このようにして開封状態となった揮散性液体容器を載置しておけば、容器本体から流出した液体芳香剤がキャップの底壁上に配置された揮散紙を湿潤し、キャップの溝孔から芳香が発散される。
【先行技術文献】
【特許文献】
【０００３】
【特許文献１】実開昭６１−９１２２８号公報
【発明の概要】
【発明が解決しようとする課題】
【０００４】
しかしながら、特許文献１に記載されるような揮散性液体容器では、容器本体の胴部がキャップの外周壁に係止される際に僅かに音を生じるものの、音によって容器本体の押し込み完了を確認できるほど明りょうな音を発することはなかった。
本発明は、前記のような従来の問題点を解決すべく開発されたもので、容器本体の押し込み完了を音によって容易に確認することのできる揮散性液体容器を提案することを目的とする。
【課題を解決するための手段】
【０００５】
すなわち、本発明の要旨構成は以下のとおりである。
１．内部に揮散性の液体を収容し、底部、胴部、肩部、口部を有するボトル状をなす容器本体を倒立状態とし、容器本体に下方から被さるキャップに対して容器本体を押し込むことにより、キャップの底壁から立設された突起が、容器本体の口部を封止する封止部材を貫通又は押し込んで容器本体が開封され、容器本体とキャップとの間に配置された含浸材を介して前記液体を揮散させる揮散性液体容器において、
容器本体の口部には、該口部の外周面から環状に突出する鍔部と、該鍔部の下面を含む環状の凹部とが形成されており、
キャップは、キャップに対して容器本体が押し込まれる際に、容器本体の口部の外周面に直接又は間接的に摺接して弾性変形すると共に、容器本体の押し込み完了時に前記環状の凹部に到達して弾かれ、前記鍔部の下面に衝突することによって音を発する少なくとも１本の音出し腕を備えることを特徴とする揮散性液体容器。
なお、本発明において「揮散性の液体」とは、芳香剤に限定されず、例えば、芳香剤、消臭剤、除湿剤、又は虫除け剤などであってもよい。
【０００６】
２．前記少なくとも１本の音出し腕は、
キャップの底壁から立設された内周壁の上端から外周側に向って延設された折り返し片と、
前記折り返し片から外周側に向って延設された当接片と、
前記当接片の外周側端縁から立設された嵌合片と、
前記嵌合片から外周側に向って延設された音出し片とを有し、
前記折り返し片を折り返し、前記当接片を前記内周壁の上端面に当接させると共に、前記嵌合片を前記内周壁の内周面に嵌合させることによって形成される、前記１の揮散性液体容器。
【０００７】
３．前記含浸材は、キャップに対して容器本体が押し込まれることによって、キャップの底壁から立設された内周壁の内周面と容器本体の口部の外周面との間に挟み込まれるように、キャップの内周壁の内外にわたって配置される、前記１又は２の揮散性液体容器。
【発明の効果】
【０００８】
本発明によれば、キャップに設けた音出し腕が、キャップに対して容器本体が押し込まれる際に、容器本体の口部の外周面に直接又は間接的に摺接して弾性変形すると共に、容器本体の押し込み完了時に、容器本体の口部に形成された環状の凹部に到達して弾かれ、容器本体の口部に形成された鍔部の下面に衝突することによって、明りょうな音を発することができる。したがって、本発明によれば、容器本体の押し込み完了を音によって容易に確認することのできる揮散性液体容器を得ることができる。
【図面の簡単な説明】
【０００９】
【図１】（ａ）は、本発明の一実施形態に係る揮散性液体容器について、容器本体の押し込み開始前の状態を一部断面で示す正面図であり、（ｂ）は（ａ）のＡ部拡大図である。
【図２】図１の揮散性液体容器について、容器本体の押し込み開始前の状態を一部断面で示す右側面図である。
【図３】図１の揮散性液体容器のキャップの平面図である。
【図４】（ａ）は、図１の揮散性液体容器について、容器本体の開封時の状態を一部断面で示す正面図であり、（ｂ）は（ａ）のＡ部拡大図である。
【図５】図１の揮散性液体容器について、容器本体の開封時の状態を一部断面で示す右側面図である。
【図６】（ａ）は、図１の揮散性液体容器について、容器本体の押し込み完了時の状態を一部断面で示す正面図であり、（ｂ）は（ａ）のＡ部拡大図である。
【図７】図１の揮散性液体容器について、容器本体の押し込み完了時の状態を一部断面で示す右側面図である。
【発明を実施するための形態】
【００１０】
以下、図１〜図７を参照して、本発明の一実施形態に係る揮散性液体容器について詳細に例示説明する。なお、本例の揮散性液体容器は倒立状態で使用されるものであるため、倒立状態を基準として説明する。
【００１１】
図１〜図３に示すように、本例の揮散性液体容器１は、容器本体２０と、キャップ３０と、含浸材４０と、中栓（封止部材）５０とからなる。容器本体２０は、底部２１、胴部２２、肩部２３及び口部２４を有するボトル状をなしている。また、底部２１は円盤状、胴部２２は筒状、肩部２３は円錐状、口部２４は筒状になっている。容器本体２０内には、例えば、芳香剤、消臭剤、除湿剤、又は虫除け剤などの揮散性の液体Ｒが収容されている。
【００１２】
容器本体２０の口部２４には、口部２４の外周面から環状に突出する鍔部２５が形成されている。鍔部２５の下方には、口部２４の外周面から環状に突出するが、突出高さが鍔部２５よりも小さい環状の係止突起２６が形成されている。
【００１３】
係止突起２６には、中栓５０の外筒部５１の内周面に形成された環状の係止凹部５１ａが係止されている。その結果、容器本体２０の口部２４には、鍔部２５の下面２５ａと、中栓５０の外筒部５１の上端５１ｂとを含む環状の凹部２７が形成されている。
【００１４】
中栓５０の外筒部５１の下端には、内向きフランジ部５２が連設され、内向きフランジ部５２の内周側端縁には、内筒部５３が立設されている。内筒部５３は、外筒部５１の係止凹部５１ａの高さより上方の部分が僅かに縮径した縮径部５３ａになっており、縮径部５３ａの上端で円盤状の天壁部５４の周縁部に連なっている。天壁部５４の中央領域には、円形薄肉部５４ａが形成されている。
【００１５】
円形薄肉部５４ａの下方には、円形薄肉部５４ａを貫通して容器本体２０を開封するための突起３１が、揮散性液体容器１の軸線Ｏ上を、キャップ３０の底壁３２から円形薄肉部５４ａに向って立設されている。突起３１は、先端３１ａが尖り、下方に向って幅広となるテーパ状の突起として形成され、平面視略十文字形状を成している。
【００１６】
突起３１の周囲には、軸線Ｏを中心とし、容器本体２０の鍔部２５の外周面２５ｂ及び中栓５０の外筒部５１の外周面５１ｃのいずれよりも大径の内周面３３ａを有する内周壁３３が底壁３２から立設されている。内周壁３３は、内周壁３３の上端面３３ｂが、容器本体２０の口部２４に取り付けられた中栓５０の内向きフランジ部５２の下面５２ａよりも下方に位置しているが、キャップ３０に対して容器本体２０が押し込まれることによって容器本体２０の口部２４を取り囲むようになっている。
【００１７】
内周壁３３の上端における軸線Ｏの周りに対称な２箇所には、それぞれ１本、計２本の音出し腕３４が設けられている。各音出し腕３４は、図中二点鎖線で示すように、内周壁３３の上端から外周側に向って延設された折り返し片３４ａと、折り返し片３４ａから外周側に向って延設された円弧状の当接片３４ｂと、円弧状の当接片３４ｂの外周側端縁から立設された嵌合片３４ｃと、嵌合片３４ｃから外周側に向って延設された音出し片３４ｄとを有する。音出し片３４ｄは、より具体的には、円弧状の嵌合片３４ｃの下端における２箇所にそれぞれ１本ずつ設けられている。したがって、１本の音出し腕３４に対しては、２本の音出し片３４ｄが、揮散性液体容器１に対しては、４本の音出し片３４ｄが設けられている。
【００１８】
そして、各音出し腕３４は、折り返し片３４ａを折り返し、当接片３４ｂを内周壁３３の上端面３３ｂに当接させると共に、嵌合片３４ｃを内周壁３３の内周面３３ａに嵌合させることによって形成されている。この状態において、各音出し片３４ｄは、音出し片３４ｄの先端３４ｅが、中栓５０の内向きフランジ部５２の下方に位置し、キャップ３０に対して容器本体２０が押し込まれることによって、音出し片３４ｄの先端３４ｅが中栓５０の外筒５１の外周面５１ｃに摺接して弾性変形すると共に、容器本体２０の押し込み完了時に環状の凹部２７に到達して弾かれ、鍔部２５の下面２５ａに衝突することによって音を発するようになっている。
【００１９】
キャップ３０の底壁３２における、折り返し前の各音出し腕３４の下方領域には、音出し腕３４を射出成形によってキャップ３０と一体的に成形するための開口部３２ａが形成されている。
【００２０】
キャップ３０の底壁３２の外周縁には、外周壁３５が立設されている。外周壁３５の上下方向中央付近から下端にわたる領域には、外周壁３５の内外を貫通し、外周壁３５の内側に配置される含浸材４０を湿潤させた液体Ｒを外部に向けて揮散させるための複数の開口３５ａが形成されている。また、外周壁３５の内周面には、上下方向の中央付近で、且つ、各音出し腕３４の設置箇所から軸線Ｏの周りに９０°ずらした箇所にそれぞれ、１本の引っ掛け部３６が計２本、内周側に向けて突設されている。キャップ３０の底壁３２における、各引っ掛け部３６の下方領域には、各引っ掛け部３６を射出成形によってキャップ３０と一体的に成形するための開口部３２ｂが形成されている。
【００２１】
外周壁３５の上端縁には、摘み部３５ｂを引っ張ることで、薄肉部３５ｃに沿って切り取り可能な環状の切取部３５ｄが設けられている。切取部３５ｄの内周面には、環状突起３５ｅが形成されている。環状突起３５ｅは、容器本体２０の胴部２２に形成された環状の段部２２ａ上の環状窪み部２２ｂに係止されている。また、切取部３５ｄの上端面３５ｆには、容器本体２０の段部２２ａのオフセット面２２ｃが当接している。
【００２２】
切取部３５ｄの下方には、切取部３５ｄの環状突起３５ｅと同一の形状及び大きさを有する環状突部３５ｇが外周壁３５の内周面から突設されており、切取部３５ｄを切取った際に、この環状突部３５ｇを容器本体２０の環状窪み部２２ｂに係止させると共に、環状の段部２２ａのオフセット面２２ｃを外周壁３５の上端に当接させることができるようになっている。
【００２３】
キャップ３０と容器本体２０との間には、液体Ｒを揮散させるための含浸材４０が配置されている。より具体的には、含浸材４０は、キャップ３０に対して容器本体２０が押し込まれることによってキャップ３０の内周壁３３の内周面３３ａと容器本体２０の口部２４の外周面との間に挟み込まれるように、キャップ３０の内周壁３３の内外にわたって配置されている。
【００２４】
また、含浸材４０は、中央にキャップ３０の突起３１の基端部を包囲する貫通孔４１が形成された、円形の中央領域部分４２と、この円形の中央領域部分４２の外周縁における、各音出し腕３４と対向しない部分からそれぞれ放射状に延びる、計２つの扇状の外側領域部分４３とからなっている。含浸材４０の中央領域部分４２の外径寸法は、容器本体２０の押し込み完了時において、中栓５０の外筒部５１の外周面５１ｃの直径と同一である。含浸材４０の各外側領域部分４３は、外周縁４３ａの中央領域が、キャップ３０の外周壁３５の引っ掛け部３６に下方から引っ掛けられている。
【００２５】
なお、含浸材４０は本例では、例えば不織布などの、液体Ｒを吸収し湿潤する揮散部材からなっている。また、前述した容器本体２０、キャップ３０、中栓５０は、本例ではいずれも樹脂製とするが、その他の材質を用いることも可能である。
【００２６】
かかる構成によれば、図１〜図３に示した状態から、キャップ３０に対して容器本体２０を押し込むことにより、図４及び図５に示すように、キャップ３０の突起３１の先端３１ａによって中栓５０の円形薄肉部５４ａを貫通して容器本体２０を開封することができる。また、その際、各音出し片３４ｄの先端３４ｅをそれぞれ、中栓５０の外筒５１の外周面５１ｃに摺接させて、弾性変形させることができる。さらに、含浸材４０の各外側領域部分４３をそれぞれ、キャップ３０の内周壁３３の内周面３３ａと容器本体２０の口部２４の外周面との間に挟み込むことができる。
【００２７】
そして、容器本体２０の押し込みが完了した時、図６及び図７に示すように、各音出し片３４ｄの先端３４ｅがそれぞれ、環状の凹部２７に到達して弾かれ、鍔部２５の下面２５ａに衝突することによって、明りょうな音を発することができる。したがって、容器本体２０の押し込みが完了したことを、音によって容易に確認することができる。
【００２８】
また、キャップ３０の内周壁３３の内周面３３ａと容器本体２０の口部２４の外周面との間には、含浸材４０の各外側領域部分４３がそれぞれ挟み込まれるため、含浸材４０を介した内周壁３３と口部２４との嵌め合いによって、キャップ３０と容器本体２０とを互いに固定することができる。したがって、容器本体２０の環状窪み部２２ｂとキャップ３０の環状突部３５ｇとの係止のみを用いる場合よりも確実な固定を可能とすることができる。
【００２９】
そして、容器本体２０内の液体Ｒは、キャップ３０の突起３１を伝って含浸材４０の中央領域部分４２を湿潤し、さらに、各外側領域部分４３も湿潤する。このとき、各外側領域部分４３の外周縁は、キャップ３０の外周壁３５の引っ掛け部３６に引っ掛かっているため、各外側領域部分４３が容器本体２０の表面に張り付くことなく、外周壁３５の開口３５ａの内外を流通する外気と十分に接触することができ、液体Ｒを効率的に揮散させることができる。
【００３０】
前述したところは、本発明の一実施形態を示したにすぎず、特許請求の範囲において、種々の変更を加えることができる。例えば、本例では、図１〜図３に示したように、キャップ３０の底壁３２から立設された突起３１が、容器本体２０の口部２４を封止する封止部材５０を貫通して容器本体２０が開封されるものとして説明したが、突起３１が封止部材５０を貫通する代わりに、突起３１が封止部材５０を容器本体２０内に押し込んで容器本体２０が開封される構成とすることもできる。この場合には、例えば、封止部材５０には外筒部５１及び内向きフランジ部５２を設けず、突起３１の先端３１ａで封止部材５０の天壁部５４を押すことで、内筒部５３が口部２４に対して上方に摺動して封止部材５０全体が容器本体２０内に押し込まれるように、突起３１の長さ、封止部材５０の内筒部５３の上下方向幅などを適宜調節することができる。
【００３１】
また、中栓５０は外筒部５１を有するものとして説明したが、例えば、外筒部５１は設けず、内向きフランジ部５２を容器本体２０の口部２４に固着するようにしてもよい。このように外筒部５１を設けない場合には、例えば、口部２４の、環状の凹部２７より下方の部分を、鍔部２５の外周面２５ｂと同一の外径寸法に形成することにより、音出し腕３４を、キャップ３０に対して容器本体２０が押し込まれる際に、容器本体２０の口部２４の外周面に直接摺接させて弾性変形させることができる。
【００３２】
また、含浸材４０は、キャップ３０に対して容器本体２０が押し込まれることによってキャップ３０の内周壁３３の内周面３３ａと容器本体２０の口部２４の外周面との間に挟み込まれるように、キャップ３０の内周壁３３の内外にわたって配置されるものとして説明したが、必ずしもこのような構成とする必要はなく、例えば、内周壁３３を周方向に間欠的に設け、含浸材４０を、内周壁３３の内周側の部分と、内周壁３３の外周側の部分と、これらの部分を互いに内周壁３３間の隙間で繋ぐ部分とによって形成することも可能である。あるいは、内周壁３３を周方向に間欠的に設け、リング状の含浸材を、底壁３２に沿って、内周壁３３の外周側のみに配置することも可能である。この場合には、中栓５０の内向きフランジ部５２の下面５２ａと、キャップ３０の底壁３２の上面との間に、液体Ｒが径方向に通過できる経路を形成するため、例えば、内向きフランジ部５２の下面５２ａ、又はキャップ３０の底壁３２の上面に、溝又は突起を形成すればよい。
【符号の説明】
【００３３】
１  揮散性液体容器
２０  容器本体
２１  底部
２２  胴部
２２ａ  段部
２２ｂ  環状窪み部
２２ｃ  オフセット面
２３  肩部
２４  口部
２５  鍔部
２５ａ  鍔部の下面
２５ｂ  鍔部の外周面
２６  係止突起
２７  環状の凹部
３０  キャップ
３１  突起
３１ａ  先端
３２  底壁
３２ａ  開口部
３２ｂ  開口部
３３  内周壁
３３ａ  内周壁の内周面
３３ｂ  内周壁の上端面
３４  音出し腕
３４ａ  折り返し片
３４ｂ  当接片
３４ｃ  嵌合片
３４ｄ  音出し片
３４ｅ  音出し片の先端
３５  外周壁
３５ａ  開口
３５ｂ  摘み部
３５ｃ  薄肉部
３５ｄ  切取部
３５ｅ  環状突起
３５ｆ  切取部の上端面
３５ｇ  環状突部
３６  引っ掛け部
４０  含浸材
４１  貫通孔
４２  中央領域部分
４３  外側領域部分
４３ａ  外側領域部分の外周縁
５０  中栓（封止部材）
５１  外筒部
５１ａ  係止凹部
５１ｂ  外筒部の上端
５１ｃ  外筒部の外周面
５２  内向きフランジ部
５２ａ  内向きフランジ部の下面
５３  内筒部
５３ａ  縮径部
５４  天壁部
５４ａ  円形薄肉部
Ｏ  軸線
Ｒ  液体
【図１】
2014196122.tif 000003
【図２】
2014196122.tif 000004
【図３】
2014196122.tif 000005
【図４】
2014196122.tif 000006
【図５】
2014196122.tif 000007
【図６】
2014196122.tif 000008
【図７】
2014196122.tif 000009